(57)【特許請求の範囲】
【請求項１】
前面開口した直方体状の器具本体と、器具本体内に配設され光源を点灯させる点灯装置と、矩形状の表示パネルおよび表示パネルの後面側に配設され端面に対向配置された前記光源の光を前記表示パネルへ導光する導光板を有し器具本体の前面に沿って設けられる表示ユニットと、器具本体内において前記点灯装置に接続され電源電線を挿入接続する端子台と、前記器具本体の後壁の前面に当接する取付部を有し取付部の一端部から前記端子台が取り付けられる取付片が前方に向かって突設された取付金具とを備え、前記表示ユニットは、後面の左右両端部にそれぞれ突設された係合片を前記器具本体における両側壁の前部の各内面にそれぞれ突設された係止片に係合させるように、器具本体の両側壁の各前端縁に後面を当接させながら下方に摺動させられることにより器具本体に取り付けられ、前記端子台は、電源電線の挿入方向が器具本体の後壁に沿うように取付金具の取付片に当接する取付面と反対側の面に電源電線を挿入する電線挿入口が形成されており、器具本体の両側壁から離れた位置に配設されてなることを特徴とする表示用照明器具。
【請求項２】
前記電源電線が商用電源に接続された接地線および電圧線からなり、前記端子台は、前記接地線が挿入される電線挿入口を前記電圧線が挿入される電線挿入口よりも前記取付部側に位置させるように配設されてなることを特徴とする請求項１記載の表示用照明器具。
【請求項３】
前記取付金具は、前記器具本体を壁に直付けするための取付ねじが挿通される取付孔が形成されてなることを特徴とする請求項１または請求項２記載の表示用照明器具。
【請求項４】
前記器具本体は、前記電源電線が挿通される電線挿通穴を形成する切除可能なノックアウト部を備え、ノックアウト部の両面にはノックアウト部の切断部を他の部位に比べて薄肉とする溝が全周にわたって形成されてなることを特徴とする請求項１ないし請求項３のいずれかに記載の表示用照明器具。
【請求項５】
前記器具本体は、少なくとも両側面の後面となす角度がそれぞれ９０度に設定された成形品よりなることを特徴とする請求項１記載の表示用照明器具。
【発明の詳細な説明】
【０００１】
【発明の属する技術分野】
本発明は、表示用照明器具に関するものである。
【０００２】
【従来の技術】
近年、各種の表示用照明器具において、光源として熱陰極の蛍光灯に比べて小型で輝度の高い冷陰極蛍光灯を用いたものが提供されている。例えば、表示用照明器具の一種である誘導灯においては、光源として冷陰極蛍光灯を用いたいわゆる高輝度誘導灯が提供されている。
【０００３】
この種の高輝度誘導灯としては、図１２および図１３に示すように、前面開口した直方体状の器具本体１０’を備え、器具本体１０’内において表示パネル（図示せず）の後面側に冷陰極蛍光灯３を配置するための一対のランプホルダ５７，５７を配設し、器具本体１０’内に配置した冷陰極蛍光灯３の光を直接的に表示パネル２１の前方へ出射する内照式の高輝度誘導灯が提供されている。この内照式の高輝度誘導灯においては、冷陰極蛍光灯３の両端部近傍を手で持って器具本体１０’内のランプホルダ５７に冷陰極蛍光灯３を装着し、冷陰極蛍光灯３に接続された一対の電線８３，８３を有するハーネス８０のコネクタ８２を器具本体１０’側に設けられたコネクタ８４に接続するようになっている。ここに、コネクタ８４は冷陰極蛍光灯３を点灯させる点灯装置（図示せず）に電線５４を介して接続されており、点灯装置は、商用電源からの電源電線を接続する端子台（図示せず）に電線（図示せず）を介して接続されている。また、器具本体１０’内には、商用電源の停電時に点灯装置へ電源を供給する蓄電池（図示せず）が収納されている。なお、上記点灯装置、上記端子台などが収納されたケース４０は、器具本体１０’内の上部に配設されている。
【０００４】
また、この内照式の高輝度誘導灯においては、器具本体１０’に反射板２７が配設されている。また、表示パネル２１は矩形状に形成され、矩形枠状のパネル枠２６によって全周を囲まれており、表示パネル２１とパネル枠２６とで表示ユニット２０’を構成している。
【０００５】
ところで、上述の高輝度誘導灯は、器具本体１０’に前方から図３中の矢印Ａの向きへ表示ユニット２０’が取り付けられるものであるが、器具本体１０’から表示ユニット２０’を取り外す場合には、図１４に示すように、表示ユニット２０’のパネル枠２６の側面に設けられた操作用凹部２６ｅへコイン５６の一部を挿入して表示ユニット２０’が器具本体１０’から離れる向きに力を作用させることにより、器具本体１０’から表示ユニット２０’を取り外すことができるようになっている。なお、操作用凹部２６ｅにマイナスドライバの先端部を挿入して表示ユニット２０’が器具本体１０’から離れる向きに力を作用させることにより、器具本体１０’から表示ユニット２０’を取り外すこともできる。
【０００６】
【発明が解決しようとする課題】
しかしながら、上記従来の内照式の高輝度誘導灯は、器具本体１０’の中央付近に配置された冷陰極蛍光灯３から発光される光が表示パネル２１を透過するものであるから、表示パネル２１に光を十分に行き渡らせるために光路上に障害物がないようにしなければならず、上記点灯装置、上記端子台、上記蓄電池などを内蔵する上で器具本体１０’内部の空間を有効的に利用しづらく、器具本体１０’の小型化（表示面の面積を小さくすること）および薄型化が難しいという不具合があった。
【０００７】
本発明は上記事由に鑑みて為されたものであり、その目的は、小型化および薄型化が可能な表示用照明器具を提供することにある。
【０００８】
【課題を解決するための手段】
請求項１の発明は、前面開口した直方体状の器具本体と、器具本体内に配設され光源を点灯させる点灯装置と、矩形状の表示パネルおよび表示パネルの後面側に配設され端面に対向配置された前記光源の光を前記表示パネルへ導光する導光板を有し器具本体の前面に沿って設けられる表示ユニットと、器具本体内において前記点灯装置に接続され電源電線を挿入接続する端子台と、前記器具本体の後壁の前面に当接する取付部を有し取付部の一端部から前記端子台が取り付けられる取付片が前方に向かって突設された取付金具とを備え、前記表示ユニットは、後面の左右両端部にそれぞれ突設された係合片を前記器具本体における両側壁の前部の各内面にそれぞれ突設された係止片に係合させるように、器具本体の両側壁の各前端縁に後面を当接させながら下方に摺動させられることにより器具本体に取り付けられ、前記端子台は、電源電線の挿入方向が器具本体の後壁に沿うように取付金具の取付片に当接する取付面と反対側の面に電源電線を挿入する電線挿入口が形成されており、器具本体の両側壁から離れた位置に配設されてなることを特徴とするものであり、光源が導光板の端面に対向配置されていることにより器具本体内の空間を有効利用することができ、表示パネルの表示面のサイズを小さくして器具本体の小型化を図ることができ、端子台を電源電線の挿入方向が器具本体の後壁に沿うように配設されていることにより、薄型化を図ることができるから、結果として器具全体の小型化および薄型化を図ることができる。
【０００９】
請求項２の発明は、請求項１の発明において、前記電源電線が商用電源に接続された接地線および電圧線からなり、前記端子台は、前記接地線が挿入される電線挿入口を前記電圧線が挿入される電線挿入口よりも前記取付部側に位置させるように配設されているので、安全性を高めることができる。
【００１０】
請求項３の発明は、請求項１または請求項２の発明において、前記取付金具は、前記器具本体を壁に直付けするための取付ねじが挿通される取付孔が形成されているので、器具本体を壁面に直付け施工する際に取付ねじの締め付けにより器具本体が破損したり劣化したりするのを防ぐことができる。
【００１１】
請求項４の発明は、請求項１ないし請求項３の発明において、前記器具本体は、前記電源電線が挿通される電線挿通穴を形成する切除可能なノックアウト部を備え、ノックアウト部の両面にはノックアウト部の切断部を他の部位に比べて薄肉とする溝が全周にわたって形成されているので、ノックアウト部を切除することにより形成される電線挿通穴の内周面にバリが残りにくくなり、電線挿通穴を通る電源電線に傷か付きにくくなる。
【００１２】
請求項５の発明は、請求項１の発明において、前記器具本体は、少なくとも両側面の後面となす角度がそれぞれ９０度に設定された成形品よりなるので、器具本体の前面と後面とにそれぞれ同じ左右幅の表示ユニットを取り付ける際に器具本体の側面と表示ユニットの側面との境界で段差が形成されるのを防ぐことができ、器具本体の側面と表示ユニットの側面とを同一面上に揃えることができるから、外観が向上する。
【００１３】
【発明の実施の形態】
（実施形態１）
本実施形態では、図１ないし図３に示す構成の高輝度誘導灯（以下、誘導灯と略称する。）を例示する。以下、本実施形態の高輝度誘導灯について図１ないし図８を参照しながら説明する。
【００１４】
本実施形態の誘導灯は、前面開口した直方体状の器具本体１０と、矩形状（本実施形態では、正方形状）の表示パネル２１を有し器具本体１０の前面開口の大部分を覆う表示ユニット２０と、光源たる直管形の冷陰極蛍光灯（図示せず）を保持し器具本体１０の前面開口のうち表示ユニット２０により覆われていない残りの部分を覆うように表示ユニット２０の上縁に沿って配設されたランプユニット３０とを備えている。
【００１５】
本実施形態においては、器具本体１０の左右幅に略等しい左右幅を有し器具本体１０の上下幅よりも小さな上下幅を有する正方形状の表示ユニット２０と表示ユニット２０の表示パネル２１の上縁に沿って配設されたランプユニット３０とで器具本体１０の前面開口を覆い、且つ、表示ユニット２０とランプユニット３０とを合わせた外周形状が器具本体１０において前面開口を囲む部位の外周形状に沿っている。しかして、本実施形態では、すっきりした外観にすることができるとともに、表示パネル２１の表示面の輝度の均整度を高くすることができる。
【００１６】
器具本体１０は、合成樹脂成形品よりなり、器具本体１０内には、上記冷陰極蛍光灯を高周波点灯方式で点灯させる点灯装置４、商用電源の停電時に点灯装置４へ給電するための非常用電源たる蓄電池を有する非常用電源ブロック６などが配設されている。ここに、点灯装置４は、商用電源からの電源電線（図示せず）を接続する端子台７に電線５８（図４参照）を介して接続されるとともに、非常用電源ブロック６から導出された電線５２に設けたコネクタ５２ａへ結合されるコネクタ５５ａを備えた電線５５が接続されており、通常は商用電源により給電されて上記冷陰極蛍光灯を点灯させ、商用電源の停電時には非常用電源ブロック６の蓄電池により給電されて上記冷陰極蛍光灯を点灯させるように構成されている。なお、本実施形態の誘導灯の使用状態では、器具本体１０内に配設される部品のうち点灯装置４および冷陰極蛍光灯の温度が比較的高い温度となり、器具本体１０内において冷陰極蛍光灯が存在する上部が比較的高い温度を呈しているが、器具本体１０内における比較的低い温度を呈する下部に非常用電源ブロック６を配置してあるので、非常用電源ブロック６の蓄電池の寿命を長くすることができる。
【００１７】
表示ユニット２０は、避難口へ誘導するためのシンボルが表記され透光性を有するアクリル樹脂製の表示パネル２１と、表示パネル２１の後面側に配設され上記冷陰極蛍光灯の光を表示パネル２１へ導光する透明アクリル樹脂製の導光板（図示せず）と、該導光板の後面に配設される反射シート（図示せず）と、表示パネル２１および上記導光板および上記反射シートを保持する合成樹脂製のパネルケース２３とで構成されている。パネルケース２３は、器具本体１０と同じ材料により形成されており、パネルケース２３の後面において左右両端部にはそれぞれ上述のＬ字状の係合片２４が２つずつ上下方向に沿って突設されている。
【００１８】
一方、器具本体１０における両側壁の前部の各内面には、器具本体１０の下壁に略平行であって表示ユニット２０のパネルケース２３の後面から突設されたＬ字状の係合片２４の下端縁が上面に当接し表示ユニット２０の下方向への移動を規制する規制片１８ａと、器具本体１０の前端縁に略平行であって規制片１８ａの前端縁から連続一体に形成され上記係合片２４の先端部が後面側に重なる保持片１８ｂとからなるＬ字状の係止片１８が２つずつ突設されている。
【００１９】
器具本体１０に表示ユニット２０を取り付けるには、器具本体１０の両側壁の各前端縁にパネルケース２３の後面が当接するように器具本体１０と表示ユニット２０との左右方向の位置を合わせ、且つ、器具本体１０の両側壁の内面に突設された各係止片１８に対応する各係合片２４が上方向にずれるように表示ユニット２０の下面を器具本体１０の下面よりも上方向にずらしている状態から、器具本体１０の両側壁の各前端縁にパネルケース２３の後面を当接させながら表示ユニット２０を下方に摺動させると、各係合片２４の各下端縁が各係止片１８それぞれの規制片１８ａの上面に当接し且つ各係合片２４の前面が各係止片１８それぞれの保持片１８ｂの後面に当接して、表示ユニット２０が器具本体１０に仮保持され、器具本体１０に対する表示ユニット２０の左右方向、下方向、および前後方向への移動が規制されるようになる。このように器具本体１０に表示ユニット２０が仮保持された状態では、器具本体１０の上面を含む平面と表示パネル２１の上端縁との間にランプユニット３０の上下幅よりもやや小さな隙間が形成される。ランプユニット３０は、表示ユニット２０が器具本体１０に取り付けられた状態において、この隙間を塞ぎ表示ユニット２０と合わせて器具本体１０の前面開口を覆う形で器具本体１０の前面に着脱自在に取り付けられる。表示ユニット２０を器具本体１０から取り外すには、ランプホルダユニット３０が器具本体１０から取り外された状態で、表示ユニット２０を係止片１８と保持片１８ｂとが重ならない位置までスライドさせて前方へ取り外せばよい。
【００２０】
ランプユニット３０は、器具本体１０の前面側に位置する前板３１ａと、前板３１ａの上端縁から後方に向かって連続一体に形成された上板（図示せず）と、前板３１ａの両側縁からそれぞれ後方に向かって突設された一対の側板３１ｃ，３１ｃと、上板の両端部において下方に突設され上記冷陰極蛍光灯および上記冷陰極蛍光灯を囲む金属製（例えば、アルミニウム製）の反射板および上記冷陰極蛍光灯を支持する一対の支持台とが連続一体に形成された合成樹脂製のユニット本体３１を備えている。ランプユニット３０は、ユニット本体３１の一対の支持台（図示せず）により上記冷陰極蛍光灯の両端部が支持されている。上記冷陰極蛍光灯は、両端部から突出したリード線にそれぞれ上記接続端子が接続されている。上記接続端子は、ユニット本体３１の支持台に下面側から着脱自在に結合される合成樹脂製のホルダブロックに保持され、ユニット本体３１の後方へ突出する。
【００２１】
要するに、ランプユニット３０は、長手方向の両端部からそれぞれ接続端子が後方へ向かって突出している。また、ランプユニット３０は、器具本体１０に取り付けた状態で上記冷陰極蛍光灯が上記導光板の上端縁（端面）に対向する位置に配置される位置に上記冷陰極蛍光灯を保持している。ユニット本体３１は、上述のように合成樹脂製であって、器具本体１０およびパネルケース２３と同じ材料で形成され且つ同じ色としてあるので、美観を高めることができる。
【００２２】
ランプユニット３０は、断面Ｌ字状であって器具本体１０の上部における左右の角部の内面に沿うように配列されたガイド片３３，３３が後方に向かって連続一体に突設されるとともに、各接続端子それぞれの外側の部位で各接続端子に重なる感電防止脚４５（図１参照）が突設されている。
【００２３】
一方、器具本体１０において両側壁の上部の内側には、点灯装置４にそれぞれランプリード線５３，５３を介して接続されランプユニット３０の接続端子が前方から挿入接続されるコネクタ５０，５０（図１および図４参照）が配置されている。ここにおいて、各コネクタ５０は直方体状に形成された絶縁性のカバー５０ａの長手方向の両端面に端子挿入口５０ｂが開口されており、カバー５０ａ内には、前面の端子挿入口５０ｂに対応する部位に当該端子挿入口５０ｂから挿入する接続端子が接続される旗型端子（図示せず）が収納されている。ここにおいて、各コネクタ５０は、カバー５０ａと器具本体１０の各側壁との間に上述の感電防止脚４５が前方から挿入される隙間５１，５１が形成されるように器具本体１０に対して取り付けられている。したがって、図１２および図１３に示した従来の誘導灯のように冷陰極蛍光灯３に接続されたハーネス８０を設ける必要がなく、図４に示すように器具本体１０の後壁の前面側に２本のランプリード線５３を漏れ電流が発生しないように離間させた状態で保持するリード線保持部１４を適宜箇所に設けておくことで器具本体１０内において各コネクタ５０と点灯装置４との間を接続する２本のランプリード線５３の配線位置を定型化することができ、施工性などを考慮して２本のランプリード線５３の長さを余分に長くする必要がなく、工場出荷時に各ランプリード線５３を配線しておくことができるから、施工業者がランプユニット３０の取付時に配線処理をする必要がなく、施工が容易になるとともに、施工者によって漏れ電流が異なるようなことがなくなる。ここにおいて、各コネクタ５０と点灯装置４とを接続する一対のランプリード線５３，５３は、低圧側のランプリード線５３の方が高圧側のランプリード線５３よりも長くしてあり（図４においては左側のコネクタ５０に接続されたランプリード線５３の方が低圧側のランプリード線となる）、一対のランプリード線５３，５３間の距離を比較的大きくとることができるので、漏れ電流を低減でき、漏れ電流の発生による冷陰極蛍光灯の出力低下を防止することができる。また、電源を備えた器具本体１０から端子が突出することがなく、安全性を高めることができる。
【００２４】
ユニット本体３１は、側板３１ｃの後部に器具本体１０からランプユニット３０を取り外すための操作用凹部３１ｅが設けられている。操作用凹部３１ｅは器具本体１０の前端縁に平行な面における内周面が円弧状に形成されており、マイナスドライバの先端部やコインの一部を操作用凹部３１ｅに挿入してランプユニット３０が器具本体１０から離れる向きに力を作用させることにより、器具本体１０からランプユニット３０を取り外すことができるようになっている。要するに、本実施形態の誘導灯は、表示ユニット２０が器具本体１０に取り付けられた状態でランプユニット３０が器具本体１０に着脱自在となっている。
【００２５】
ここにおいて、ランプユニット３０は、感電防止脚４５の一部を上記接続端子に重複させてあるので、ランプユニット３０の取り外し時にマイナスドライバの先端部やコインなどが上記接続端子に当たるのを感電防止脚４５によって防ぐことができるから、上記冷陰極蛍光灯へ電流が流れている状態でランプユニット３０を取り外そうとした際に上記接続端子にマイナスドライバの先端部やコインなどが接触して感電するのを防止することができるとともに、上記接続端子に傷が付くのを防ぐことができる。また、本実施形態においては、ランプユニット３０は、器具本体１０の前方から器具本体１０に取り付けられ、器具本体１０から手前に取り外すことができるので、ランプユニット３０の着脱時に器具本体１０の前面側においてランプユニット３０を前後方向に移動させるだけでよいから（つまり、表示パネル２１の表示面に略直交する方向にランプユニット３０を移動させるだけでよいから）、器具本体１０が天井直付けや壁取付けなどの取付方法に関わらず、器具本体１０の近くに天井や壁があっても器具本体１０へのランプユニット３０の着脱作業に支障をきたすこともない。
【００２６】
しかして、本実施形態の誘導灯では、冷陰極蛍光灯の交換時にはランプユニット３０毎に交換するようになっているので、施工時に冷陰極蛍光灯に過度な外力が加わることがなく、冷陰極蛍光灯の破損を防止することができる。しかも、施工時や冷陰極蛍光灯の交換時には、器具本体１０に表示ユニット２０が取り付けられた状態で、ランプユニット３０の取り付けや交換ができるので、表示ユニット２０の落下の恐れもなく表示ユニット２０の落下を防止するための落下防止機構（落下防止手段）を設ける必要がなく、冷陰極蛍光灯の破損の恐れもないから、施工性が向上する。
【００２７】
なお、ユニット本体３１の前板３１ａの下部の一部は前後方向において表示パネル２１の上部に重なるように位置しているので、ユニット本体３１の下端部の一部で表示パネル２１の上部が押えられることになり、表示ユニット２０を器具本体１０に固定することができる。
【００２８】
ところで、上述の点灯装置４は、当該点灯装置４の回路構成部品などを収納した直方体状の器体４ａが前面開口した後面側の金属カバー４ｂと後面開口した前面側の金属カバー４ｃとで囲まれており、後面側の金属カバー４ｂの後面が器具本体１０の後壁の前面に当接する形で配設されている。ここにおいて、後面側の金属カバー４ｂは、前面側の金属カバー４ｃに比べて上下方向の幅および左右方向の幅がそれぞれやや大きく設定されており、後面側の金属カバー４ｂの前端縁が露出している。
【００２９】
これに対し、器具本体１０の後壁の前面からは、後面側の金属カバー４ｂの両側壁の前端縁においてやや凹んだ部分に先端部が係止される４つの結合脚１６（図４および図５参照）が前方へ突設されているので、器具本体１０の前面側から点灯装置４を器具本体１０の後壁に近づけるように押し込むことにより、結合脚１６が撓んで最終的に結合脚１６の先端部が金属カバー４ｂの両側壁の前端縁においてやや凹んだ部分に係止されるので、点灯装置４をねじなどを用いることなく簡単に器具本体１０へ取り付けることができる。ここに、４つの結合脚１６は、金属カバー４ｂの左右の周壁に対して２つずつ近づけて設けてあるので、近づけて設けられた２つの結合脚１６のうちの一方が破損してももう一方の結合脚１６が残っていることにより点灯装置４のバランスが保たれて落下が防止され、安全性を高めることができる。また、器具本体１０の後壁の前面からは、金属カバー４ｂの周壁に当接する複数（８つ）の位置決めリブ１７が突設されている。ここに、位置決めリブ１７は、先端に近づくほど金属カバー４ｂの周壁との距離を大きくする誘導面１７ａが形成されているので、点灯装置４を器具本体１０の前方から取り付ける際の取付作業が容易になる。
【００３０】
また、器具本体１０は、端子台７に接続する商用電源からの電源電線を器具本体１０内に挿入する電線挿通穴を形成する切除可能な楕円形状のノックアウト部１１が、後壁に形成されている。また、器具本体１０の後壁には、壁面に直付けする際に用いる取付ねじを挿通させるためのねじ挿通孔を形成する切除可能なノックアウト部１３’，１３”が形成されている。ここに、一方のノックアウト部１３’は縦長であって左右方向に２つ並設され、他方のノックアウト部１３”は横長に形成されているので、壁面に直付けする場合に２つのノックアウト部１３’のうちのどちらを選択するかによって２種類の取付ピッチに対応することができる。また、器具本体１０の上壁には、天井面に直付けする際に用いる取付ねじを挿通するための取付孔を形成する切除可能な２つのノックアウト部１３，１３が左右方向に離間して形成されている。さらに、器具本体１０の上壁の中央部には端子台７に接続する商用電源からの電源電線を器具本体１０内に挿入する電線挿通穴５９（図１参照）を形成する切除可能なノックアウト部（図示せず）が設けられている。したがって、器具本体１０を壁面に取り付ける場合、天井面に取り付ける場合など、必要に応じて電線挿通穴およびねじ挿通孔を形成することにより、電源電線が挿入されない電線挿通穴や取付ねじが挿通されないねじ挿通孔が生じるのを防ぐことができ、美観を高めることが可能になる。ここに、器具本体１０の後壁の前面には、ノックアウト部１１を全周に亘って囲むリブ１２（図７および図８参照）が前方へ突設されているので、比較的大きな電線挿通穴を設けた場合にも器具本体１０の後壁の剛性を保つことができる。なお、リブ１２の先端部は先端縁に近づくほど幅が小さくなるように内周面側に丸みを持たせてあるので、電源電線に傷が付くのを防止することができる。
【００３１】
また、ノックアウト部１１は、器具本体１０の後壁に比べて薄肉に形成されているが、ノックアウト部１１の両面には図８に示すようにノックアウト部１１の切断部１１ｃを他の部位に比べてさらに薄肉とする溝１１ａ，１１ｂが全周にわたって形成されているので、ノックアウト部１１を切除することにより形成される電線挿通穴の内周面にバリが残りにくくなり、電線挿通穴を通る電源電線に傷か付きにくくなる。なお、器具本体１０の後壁の後面に形成される溝１１ａは断面三角形状に形成され、器具本体１０の後壁の前面に形成される溝１１ｂはノックアウト部１１の周部がせん断される時に弱い力で切断できるように断面形状を設定してある（本実施形態では、断面三角形状に設定してある）。
【００３２】
ところで、上述の端子台７は、器具本体１０内に配設された金属製の取付金具８に取り付けられる。取付金具８は、前方に開放された断面コ字状に形成され中央片８ａが器具本体１０の後壁の前面に当接する取付部たる取付ベースを有し、取付ベースの長手方向の一端部からは両脚片８ｂ，８ｂが省略されて端子台７が取り付けられる取付片８ｃ（図１および図２参照）が前方に向かって突設されており、取付片８ｃの先端部からは器具本体１０の後壁から前方へ突出したボス（図示せず）に螺合する固定ねじ９（図４参照）が挿通される挿通孔（図示せず）が穿孔された固定片８ｄが器具本体１０の側壁に向かって延設されている。一方、器具本体１０の後壁の前面からは、取付ベースの長手方向の他端部において両脚片８ｂ，８ｂの先端縁に係止するＬ字状の係止片１０ｄ，１０ｄが突設されるとともに、取付金具８の外周縁に当接する位置決めリブ１６が突設されている。また、取付金具８には、上記リブ１２を囲み電源電線が挿通可能な挿通孔８ｅ、上記ノックアウト部１３’，１３”に重なる部位に壁へ直付けする際に用いる取付ねじが挿通される取付孔８ｆ，８ｇが形成されている。要するに、取付金具８は、器具本体１０を壁に直付けするための取付ねじ（図示せず）が挿通される取付孔８ｆ，８ｇが形成されているので、器具本体１０を壁面に直付け施工する際に取付ねじの締め付けにより器具本体１０が破損したり劣化したりするのを防ぐことができる。
【００３３】
また、端子台７は、合成樹脂製の基台７ａにおいて取付金具８の取付片８ｃに当接する取付面と反対側の面に電源電線を挿入する２個１組の電線挿入口７ｂ，７ｂ、７ｃ，７ｃ、７ｄ，７ｄが形成されており、取付ベースに最も近い位置で上下に沿って配設される２つの電線挿入口７ｂ，７ｂは共通の端子（速結端子）が基台７ａ内に収納されており、商用電源に接続された電源電線のうち接地線を２つの電線挿入口７ｂ，７ｂのうちの一方に挿入して対応する端子に接続すればよい。また、この２つの電線挿入口７ｂ，７ｂの次に取付ベースに近い位置で上下に沿って配設される２つの電線挿入口７ｃ，７ｃは共通の端子（速結端子）が基台７ａ内に収納されており、取付ベースに最も遠い位置で上下に沿って配設される２つの電線挿入口７ｄ，７ｄは共通の端子（速結端子）が基台内に収納され、両端子は一端が電線挿入口７ｃに挿入され他端が電線挿入口７ｄに挿入された電線６０により電気的に接続されているので、残りの電線挿入口７ｃ，７ｄのいずれかに商用電源に接続された電源電線の電圧線を挿入して対応する端子板に接続すればよい。要するに、電源電線のうち接地線が挿入される電線挿入口７ｂを電圧線が挿入される電線挿入口７ｃ，７ｄよりも取付部たる取付ベース側に位置させるように配設されているので、安全性を高めることができる。
【００３４】
（実施形態２）
本実施形態の誘導灯の基本構成は実施形態１と略同じであって、図９および図１０に示すように器具本体１０の後面側（図９における右面側）にも表示ユニット２０を着脱自在に取り付けている点に特徴がある。なお、実施形態１と同様の構成要素には同一の符号を付して説明を省略する。
【００３５】
本実施形態における器具本体１０の後壁には、図１１に示すように、上述のパネルケース２３の後面から突設されたＬ字状の４つの係止片２４がそれぞれ挿入される４つのパネル取付穴１５を設け、コネクタ５０のカバー５０ａ内に各端子挿入口５０ｂから挿入する接続端子がそれぞれ接続される２つの旗型端子を収納すればよい。ここにおいて、器具本体１０の後面側に取り付けられる表示ユニット２０は、パネルケース２３の係止片２４をパネル取付穴１５の幅広部１５ａからパネル取付穴１５に挿入した後にパネルケース２３を下方へスライドさせ係止片２４の先端部をパネル取付穴１５の幅狭部１５ｂの周縁に重複させることにより、器具本体１０に保持されるようになっている。さらに、器具本体１０の後壁において上下方向に配列された２つのパネル取付穴１５の間の部位には、パネルケース２３の後面に突設された突状片（図示せず）をガイドするガイド穴１０ｂが形成されている。
【００３６】
ところで、実施形態１で説明した誘導灯のように合成樹脂成形品よりなる器具本体１０の前面だけに表示ユニット２０を取り付けるのであれば、器具本体１０を成形する金型に抜き角度を設けることで離型が容易になる。しかしながら、本実施形態の誘導灯のように、器具本体１０の前面だけでなく後面にも表示ユニット２０を取り付けるような場合、金型に抜き勾配を設けると、器具本体１０の側面と器具本体１０の後面に取り付けられる表示ユニット２０の側面との境界で段差が形成され見栄えが悪くなってしまう。
【００３７】
これに対して、本実施形態における器具本体１０は、少なくとも両側面の後面となす角度がそれぞれ９０度に設定された成形品よりなるので、器具本体１０の前面と後面とにそれぞれ同じ左右幅の表示ユニット２０を取り付ける際に器具本体１０の側面と表示ユニット２０の側面との境界で段差が形成されるのを防ぐことができ、器具本体１０の側面と表示ユニット２０の側面とを同一面上に揃えることができるから、外観が向上する。ここにおいて、器具本体１０を成形する金型は、器具本体１０の上面、両側面、下面の４面ともスライド型にしてあるので、金型に抜き角度を設ける必要がなく、器具本体１０の両側面の後面となす角度をそれぞれ９０度にすることができる。また、器具本体１０の前後方向の幅が小さくなる（誘導灯が薄型化する）につれて離型が容易になるので、器具本体１０の前後方向の幅を小さくすることにより、スライド型にしなくても離型が可能で器具本体１０の両側面の後面となす角度をそれぞれ９０度にすることもできる。
【００３８】
また、冷陰極蛍光灯は温度上昇に伴って発光効率が低下するものであり、本実施形態の誘導灯では、冷陰極蛍光灯を２灯備えているので、図１１に示すように器具本体１０の後壁における上部の両側にそれぞれ矩形状の放熱孔１９ｂ，１９ｂを形成し、両放熱孔１９，１９ｂの間の部位に矩形状の２つの放熱孔１９ａ，１９ａを並設してある。ところで、放熱させるための孔は放熱性の点からは大きい方が望ましいが、器具本体１０を天井面に直付けする際の器具本体１０の強度を確保するという点では小さい方が望ましいので、本実施形態では、各一対の放熱孔１９ａ，１９ｂを設け、各放熱孔１９ａ，１９ｂの形状および大きさを、器具本体１０の剛性を保ちつつ放熱性を向上できるように設定してある。具体的には、各放熱孔１９ａ，１９ｂそれぞれの各コーナ部にＲを設け、さらに器具本体１０の後壁と側壁との接続面積を大きくすることで剛性を確保している。
【００３９】
【発明の効果】
請求項１の発明は、前面開口した直方体状の器具本体と、器具本体内に配設され光源を点灯させる点灯装置と、矩形状の表示パネルおよび表示パネルの後面側に配設され端面に対向配置された前記光源の光を前記表示パネルへ導光する導光板を有し器具本体の前面に沿って設けられる表示ユニットと、器具本体内において前記点灯装置に接続され電源電線を挿入接続する端子台と、前記器具本体の後壁の前面に当接する取付部を有し取付部の一端部から前記端子台が取り付けられる取付片が前方に向かって突設された取付金具とを備え、前記表示ユニットは、後面の左右両端部にそれぞれ突設された係合片を前記器具本体における両側壁の前部の各内面にそれぞれ突設された係止片に係合させるように、器具本体の両側壁の各前端縁に後面を当接させながら下方に摺動させられることにより器具本体に取り付けられ、前記端子台は、電源電線の挿入方向が器具本体の後壁に沿うように取付金具の取付片に当接する取付面と反対側の面に電源電線を挿入する電線挿入口が形成されており、器具本体の両側壁から離れた位置に配設されてなるものであり、光源が導光板の端面に対向配置されていることにより器具本体内の空間を有効利用することができ、表示パネルの表示面のサイズを小さくして器具本体の小型化を図ることができ、端子台を電源電線の挿入方向が器具本体の後壁に沿うように配設されていることにより、薄型化を図ることができるから、結果として器具全体の小型化および薄型化を図ることができるという効果がある。
【００４０】
請求項２の発明は、請求項１の発明において、前記電源電線が商用電源に接続された接地線および電圧線からなり、前記端子台は、前記接地線が挿入される電線挿入口を前記電圧線が挿入される電線挿入口よりも前記取付部側に位置させるように配設されているので、安全性を高めることができるという効果がある。
【００４１】
請求項３の発明は、請求項１または請求項２の発明において、前記取付金具は、前記器具本体を壁に直付けするための取付ねじが挿通される取付孔が形成されているので、器具本体を壁面に直付け施工する際に取付ねじの締め付けにより器具本体が破損したり劣化したりするのを防ぐことができるという効果がある。
【００４２】
請求項４の発明は、請求項１ないし請求項３の発明において、前記器具本体は、前記電源電線が挿通される電線挿通穴を形成する切除可能なノックアウト部を備え、ノックアウト部の両面にはノックアウト部の切断部を他の部位に比べて薄肉とする溝が全周にわたって形成されているので、ノックアウト部を切除することにより形成される電線挿通穴の内周面にバリが残りにくくなり、電線挿通穴を通る電源電線に傷か付きにくくなるという効果がある。
【００４３】
請求項５の発明は、請求項１の発明において、前記器具本体は、少なくとも両側面の後面となす角度がそれぞれ９０度に設定された成形品よりなるので、器具本体の前面と後面とにそれぞれ同じ左右幅の表示ユニットを取り付ける際に器具本体の側面と表示ユニットの側面との境界で段差が形成されるのを防ぐことができ、器具本体の側面と表示ユニットの側面とを同一面上に揃えることができるから、外観が向上するという効果がある。
【図面の簡単な説明】
【図１】実施形態１の分解斜視図である。
【図２】同上の要部拡大図である。
【図３】同上の斜視図である。
【図４】同上の表示ユニットおよびランプユニットを取り外した状態の正面図である。
【図５】同上の要部説明図である。
【図６】同上の背面図である。
【図７】同上の要部断面図である。
【図８】図７の要部Ｂの拡大図である。
【図９】実施形態２の側面図である。
【図１０】同上の下面図である。
【図１１】同上の器具本体の背面図である。
【図１２】従来例の要部分解斜視図である。
【図１３】同上における器具本体への表示ユニットの取り付け方の説明図である。
【図１４】同上における器具本体からの表示ユニットの取り外し方の説明図である。
【符号の説明】
４  点灯装置
７  端子台
８  取付金具
８ｃ  取付片
１０  器具本体
２０  表示ユニット
２１  表示パネル
３０  ランプユニット
【図１】
0003888041.tif 000002
【図２】
0003888041.tif 000003
【図３】
0003888041.tif 000004
【図４】
0003888041.tif 000005
【図５】
0003888041.tif 000006
【図６】
0003888041.tif 000007
【図７】
0003888041.tif 000008
【図８】
0003888041.tif 000009
【図９】
0003888041.tif 000010
【図１０】
0003888041.tif 000011
【図１１】
0003888041.tif 000012
【図１２】
0003888041.tif 000013
【図１３】
0003888041.tif 000014
【図１４】
0003888041.tif 000015